(57)【要約】【課題】鼻孔脱毛用スティックについて、先端部を鼻孔内に過剰に差し込んでしまうこと、ワックスを過剰に塗布してしまうこと、および塗布したワックスが垂れ落ちることを防止する。【解決手段】スティック本体１１の先端部と後端部との間の先端部寄りに、スティック本体１１の先端部を鼻孔に挿入した際に鼻孔の孔縁に当接し、スティック本体１１の先端部へワックスを塗布する際の塗布範囲の指標となり、スティック本体１１の先端部に塗布されたワックスを下から支持する鍔部１２を設ける。鍔部１２がストッパーとなり、スティック本体１１の先端部が鼻孔の奥部にまで挿入されるのが阻止されるため、鼻孔粘膜を傷つけることがない。鍔部１２が指標となり、スティック本体１１の鍔部１２よりも後方の脱毛に関与しない位置にまでワックスを塗布してしまうことがない。鍔部１２の支持により、スティック本体１１に塗布したワックスは垂れ落ちることがないため、再度塗り直す手間が省かれる。【選択図】図１
2017000606.tif 000002
【特許請求の範囲】
【請求項１】
後端部を指でつまんで先端部を鼻孔に挿入可能であり、かつその先端部に脱毛用のワックスを塗布可能なスティック本体と、
前記スティック本体の先端部と後端部との間に形成され、前記スティック本体の先端部を鼻孔に挿入した際に鼻孔の孔縁に当接し、前記スティック本体の先端部へワックスを塗布する際の塗布範囲の指標となり、かつ前記スティック本体の先端部に塗布されたワックスを下方より支持する鍔部と、を備える鼻孔脱毛用スティック。
【請求項２】
前記鍔部は、前記スティック本体の先端から５〜１５ｍｍの位置に形成されている請求項１に記載の鼻孔脱毛用スティック。
【請求項３】
前記鍔部は、円盤形であり、その円盤の直径は１０〜２０ｍｍである請求項１または２に記載の鼻孔脱毛用スティック。
【発明の詳細な説明】
【技術分野】
【０００１】
本発明は、鼻孔脱毛用スティックに関する。
詳しくは、本発明は、鼻孔内をワックスで脱毛する際に用いられる、そのワックスを塗布するためのスティックに関する。
【背景技術】
【０００２】
特許文献１のように、加熱されることにより軟化したワックスを体表面に塗布し、そのワックスが自然冷却され固化した状態で塗布された体表面から引きはがすことで、体毛をワックスごと体表面から脱離させる脱毛方法が知られている。
【０００３】
この種のワックスは、鼻孔内の脱毛にも利用されている。その際には、鼻孔内で固化したワックスを指で引きはがすことは容易でないため、ワックスとともにスティックを用いる試みがなされている。
具体的には、スティックの先端部に軟化したワックスを適量塗布して鼻孔内へと挿入し、ワックスが固化した後にスティックを引っ張ることで、その先端部を鼻孔内から抜き出すと、先端部に固着したワックスも同時に鼻孔から引きはがされることになる。
【先行技術文献】
【特許文献】
【０００４】
【特許文献１】特開昭６１−１８９２１２号公報
【発明の概要】
【発明が解決しようとする課題】
【０００５】
しかし従来の鼻孔脱毛用スティックとしては、割り箸などの既存の細長い形状の物品が転用されることが多く、特段の工夫が凝らされたものは用いられていなかった。
【０００６】
このように、従来の鼻孔脱毛用スティックには、その先端部の鼻孔内への挿入深さを規制する機構がなかったため、鼻孔の奥深くにまで過剰に差し込んでしまうことがあった。
こうして、スティックを過剰に差し込んでしまうと、その先端部が鼻孔の内壁に突き当たって粘膜を傷付けてしまったり、鼻孔の奥深くの脱毛はなされても、最も人目につきやすく脱毛の必要性が高い鼻孔の入口付近における脱毛が不十分になったりする。
【０００７】
また、従来の鼻孔脱毛用スティックには、スティックに対してどの程度の量のワックスを塗布すればよいかの指標がなかったため、脱毛が不十分となるのを避けようとする心理上、ワックスを必要量を超えて後端近くに至るまで過剰に塗布してしまいがちであった。
このように、ワックスを必要量を超えて大量に使用するのは、無駄であるし、脱毛の際にそのワックスの過剰量分だけ不要なコストがかかることになる。
【０００８】
さらに、冷却固化前のワックスは比較的流動性が高いが、これが塗布される従来の鼻孔脱毛用スティックには、そのワックスを支持する機構がなかったため、スティックの鼻孔への挿入時にワックスが手元の側へと垂れ落ちてしまうことがあった。
このように、ワックスがスティックに塗布された箇所から垂れ落ちると、そのままでは鼻孔に導入されるワックスの量が不十分となり、脱毛効果が十分に得られない可能性もあるし、またスティックにワックスを塗布し直すとなると手間がかかる。
【０００９】
そこで本発明の解決すべき課題は、鼻孔脱毛用スティックについて、先端部を鼻孔内に過剰に差し込んでしまうこと、ワックスを過剰に塗布してしまうこと、および塗布したワックスが垂れ落ちることを防止することである。
【課題を解決するための手段】
【００１０】
上記の課題を解決するため、本発明の鼻孔脱毛用スティックを、スティック本体と鍔部とから構成したのである。
そして、スティック本体については、後端部を指でつまんで先端部を鼻孔に挿入可能であり、かつその先端部に脱毛用のワックスを塗布可能な構成としたのである。
また、鍔部については、スティック本体の先端部と後端部との間に形成され、スティック本体の先端部を鼻孔に挿入した際に鼻孔の孔縁に当接し、スティック本体の先端部へワックスを塗布する際の塗布範囲の指標となり、かつスティック本体の先端部に塗布されたワックスを下方より支持する構成としたのである。
【００１１】
本発明の鼻孔脱毛用スティックにおいて、鍔部は、スティック本体の先端から５〜１５ｍｍの位置に形成されているのが好ましい。また、鍔部は、円盤形であってその円盤の直径が１０〜２０ｍｍであるのが好ましい。
【発明の効果】
【００１２】
発明に係る鼻孔脱毛用スティックにつき、以上のように構成したので、スティック本体の先端部を鼻孔に挿入した際に鍔部が鼻孔の孔縁に当接し、その先端部がそれ以上に鼻孔の奥部にまで挿入されるのが阻止される。
このため、先端部が鼻孔の奥部に入り込んで鼻孔の粘膜を傷つけたり、鼻孔の入口付近の脱毛が不十分になったりすることがない。
【００１３】
また、スティック本体の先端部に加熱軟化したワックスを塗布する際に、鍔部が塗布範囲の指標となるため、鍔部よりも後端部寄りのおよそ脱毛効果が期待されない位置にまでワックスを塗布してしまう無駄が防止できる。
【００１４】
さらに、スティック本体の先端部に加熱軟化したワックスを塗布した状態で、先端部を上向きにして鼻孔に挿入しようとする際に、そのワックスを鍔部が下方より支持するため、ワックスがスティック本体から垂れ落ちることが防止される。
したがって、スティック本体に塗布したワックスの有効活用が図られ、また垂れ落ちた分だけのワックスを再度塗り直す手間も省ける。
【００１５】
鍔部が、前記スティック本体の先端から５〜１５ｍｍの位置に形成されていると、前記スティック本体の先端部が鼻孔挿入時に鼻孔の入口付近に留まるため、脱毛の必要性が高い鼻孔の入口付近を十分に脱毛することができる。また、スティック本体の先端部が、鼻孔の奥部の内壁へと突き当たることを確実に防止できる。
【００１６】
鍔部を、円盤形とし、その円盤の直径は１０〜２０ｍｍとすると、スティック本体の先端の鼻孔への挿入時に鼻孔の孔縁に確実に当接するのに十分な大きさになる。また、スティック本体の先端部に塗布したワックスが垂れ落ちそうになった際に、受け止めるのに十分な大きさになる。
【図面の簡単な説明】
【００１７】
【図１】実施形態の鼻孔脱毛用スティックの、（ａ）は斜視図、（ｂ）は側面図、（ｃ）は正面図
【図２】実施形態の鼻孔脱毛用スティックの、（ａ）はワックスの塗布途中の状態を、（ｂ）はワックスの塗布を終えた状態を、それぞれ示す概要図
【図３】実施形態の鼻孔脱毛用スティックの、（ａ）は鼻孔に差し込んだ状態を、（ｂ）は鼻孔から抜き出した状態を、それぞれ示す概要図
【発明を実施するための形態】
【００１８】
以下、図面を参照しつつ本発明の実施形態について説明する。
図１〜図３に示す実施形態の鼻孔脱毛用スティック１０は、スティック本体１１と、鍔部１２とからなる。
実施形態の鼻孔脱毛用スティック１０としては、衛生面等を考慮して、主として脱毛作業を終えると廃棄される使い捨てタイプを想定しているが、洗浄可能に形成するなどして、繰り返しの使用に耐えるものとしてもよい。
【００１９】
図１〜図３のように、スティック本体１１は、その後端部１１ｂを指でつまむことで、その先端部１１ａを鼻孔Ｎに挿入できるように細長形状に形成されている。
図示においては、スティック本体１１は略円柱形をしており、その太さは、指でつまみやすく、かつ鼻孔Ｎに挿入が容易な太さとなっている。
具体的なスティック本体１１の直径としては、３〜６ｍｍが例示できる。より好ましいスティック本体１１の直径としては、挿入の容易さ、ワックスの塗布しやすさ等を考慮すると４〜５ｍｍである。
【００２０】
スティック本体１１は指でつまんで操作しやすい長さとなっている。
具体的なスティック本体１１の長さとしては、全長が５０〜８０ｍｍであることが例示できる。より好ましいスティック本体１１の長さとしては、取扱いの便を考慮すると、全長が６０〜７０ｍｍである。
また、スティック本体１１の先端部１１ａは、先端に向けて直径が漸減しており、かつその先端（最先端）は丸みを帯びた形状に形成されている。これにより、スティック本体１１の先端部１１ａを鼻孔Ｎに挿入する際に引っかかり等がなく挿入しやすく、また鼻孔Ｎの粘膜を傷つけないようになっている。
スティック本体１１の材質は特に限定されず、プラスチック製、金属製、木製などが例示できるが、軽量であり安価であり耐熱性も一定程度に高いことから、プラスチック製であることが好ましい。
【００２１】
図１のように、鍔部１２は、スティック本体１１の先端部１１ａから後端部１１ｂの間において、先端部１１ａに隣接する箇所に形成されている。
鍔部１２の形成位置は、スティック本体１１の先端（最先端）から鍔部１２までの距離が、平均的な人体における鼻孔Ｎの入口から鼻孔Ｎの奥部までの距離よりも、小さくなるように調整されている。
具体的には、鍔部１２はスティック本体１１の先端（最先端）から５〜１５ｍｍの位置に形成されていることが例示できる。より好ましい鍔部１２の形成位置としては、スティック本体１１の先端（最先端）から８〜１２ｍｍである。
【００２２】
図示においては、鍔部１２は円盤形をしており、スティック本体１１の先端部１１ａを鼻孔Ｎに差し込んだ際に、鼻孔Ｎの孔縁に当接するのに十分な大きさとなっている。
具体的な鍔部１２の直径としては、一般的な鼻孔Ｎの孔径より大きいものとして、１０〜２０ｍｍであることが例示できる。より好ましい鍔部１２の直径としては、取扱いの便等を考慮して、１３〜１７ｍｍである。
また、鍔部１２の厚みも特に限定されないが、強度や重量バランス、成形の容易性等を考慮して、１〜３ｍｍであることが例示できる。
ここで図示においては、鍔部１２はスティック本体１１と一体に形成されており、鍔部１２の面とスティック本体の軸線とは、ほぼ垂直をなしている。
【００２３】
また、鍔部１２の材質は、プラスチック製、金属製、木製などが例示でき、スティック本体１１と異なる素材も選択可能であるが、軽量であり安価であり耐熱性も一定程度に高いことから、スティック本体１１と同様にプラスチック製であることが好ましい。
このようなプラスチックとしては、ポリプロピレン（ＰＰ）、ポリエチレン（ＰＥ）、ポリエチレンテレフタレート（ＰＥＴ）が例示できるが、加熱軟化したワックスＷが接触した際に、変性しない程度の耐熱性を有することが好ましい。
【００２４】
実施形態の鼻孔脱毛用スティック１０の構成は以上のようであり、次に脱毛作業に際しての使用方法について説明する。
【００２５】
使用方法としては、まず図２（ａ）および（ｂ）のように、そのスティック本体１１の先端部１１ａ、すなわち先端から鍔部１２の直上までの範囲に、ウォーマー等による加熱で軟化したワックスＷを塗布する。
次いで、図３（ａ）のように、スティック本体１１の後端部１１ｂを指でつまみ、その先端部１１ａを鼻孔Ｎに差し込んでゆく。スティック本体１１の差し込みは、鍔部１２が鼻孔の孔縁に当接するまでおこなう。
この状態のまま、ワックスＷが固化するまで、例えば１分〜数分の間、時間をおく。固化したワックスＷはスティック本体１１に固定されるとともに、鼻孔の内面に密着し、その内面に存在する体毛を捕捉する。
【００２６】
次に、図３（ｂ）のように、ワックスＷが固化した状態で、スティック本体１１の後端部１１ｂを指で引っ張り、その先端部１１ａを鼻孔Ｎから抜き出す。
これによりスティック本体１１の先端部１１ａに固定されたワックスＷは、鼻孔Ｎの内面から引きはがされる。その際に、ワックスＷに捕捉された鼻孔内の体毛Ｈが引き抜かれることになり、脱毛が完了する。脱毛を終えると通常、鼻孔脱毛用スティック１０は、ワックスＷごと廃棄される。
鼻孔内の体毛の先端を一本ずつつまんで引き抜く場合と異なり、ワックスＷが体毛Ｈを根元から捕捉し、スティック本体１１を引っ張ることで素早く引き抜くため、脱毛時の痛みが軽減され、また脱毛に要する時間が短縮される。また、脱毛作業に熟練を要さず、だれでも簡単におこなうことができる。
【００２７】
スティック本体１１にワックスＷを塗布する際に、鍔部１２が塗布範囲の目安ないし指標となって、スティック本体１１の先端部１１ａ、すなわち先端から鍔部１２の直上までに限ってワックスＷを塗布することになる。
したがって、スティック本体１１の後端部１１ｂに至るまでワックスＷを塗布することが防止でき、ワックスＷを過剰に塗布する無駄が抑えられる。
なお、上述のように鍔部１２がスティック本体１１の先端から８〜１２ｍｍに形成されている場合、スティック本体１１の先端から鍔部１２の直上にかけてワックスＷを塗布すると、ワックスＷの使用量は概ね３〜６ｇとなり、非常に少量で済む。このため、脱毛時のコストパフォーマンスに優れる。
【００２８】
スティック本体１１の先端部１１ａを鼻孔Ｎに一定程度差し込むと、鍔部１２が鼻孔Ｎの孔縁に当接して、それ以上鼻孔Ｎの奥部にまでスティック本体１１が差し込まれることが阻止されることになる。
したがって、スティック本体１１の先端部１１ａが鼻孔Ｎの奥部の内壁に突き当たるなどして、鼻孔Ｎの粘膜を傷つけることが防止されている。すなわち、鍔部１２がスティック本体１１を鼻孔Ｎに差し込む際のストッパーとして機能する。
また、鍔部１２が鼻孔Ｎの孔縁に当接した状態で、スティック本体１１の先端部１１ａが最も脱毛の必要性の高い鼻孔Ｎの入口付近に位置するため、脱毛の効率性が高まる。
なお、鼻孔Ｎの奥部については、そもそも脱毛の必要性が高くないうえに、奥部まで脱毛してしまうと、鼻孔Ｎ内の体毛の有するフィルター効果が発揮されず、大気中の人体に悪影響を及ぼす物質が体内に導入されてしまうため、好ましくない。
実施形態の鼻孔脱毛用スティック１０の場合、スティック本体１１の先端部１１ａは鼻孔Ｎの入口付近に留まるため、鼻孔Ｎの奥部は脱毛されることなく、したがって、そのフィルター効果を維持することができる。
【００２９】
スティック本体１１の先端部１１ａを上に後端部１１ｂを下にして、その先端部１１ａを鼻孔Ｎに差し込む際には、その先端部１１ａに塗布された加熱軟化され流動性の高いワックスＷが垂れ落ちそうになるが、鍔部１２がこのワックスＷを下方から支持する。
このため、スティック本体１１の先端部１１ａに塗布されたワックスは，図２（ｂ）のように、スティック本体１１の先端を頂とし鍔部１２を底とする略円錐形状にまとまった状態で保形される。
したがって、ワックスＷが垂れ落ちて脱毛が不十分となることや、垂れ落ちた分のワックスＷを継ぎ足すために再度スティック本体１１への塗布作業をおこなうことなどが防止される。
なお、上述のように鍔部１２の径が１３〜１７ｍｍである場合、垂れ落ちそうなワックスＷを支持するのに十分な大きさであり、かつ鼻孔脱毛用スティック１０の取り扱いに支障が生じるほどの過剰な大きさではないため好適である。
【００３０】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００３１】
たとえば、実施形態ではスティック本体１１の形状を円柱形としているが、これに限定されず、四角柱、四角柱以外の多角柱形、楕円柱形等とすることも可能である。
また、実施形態のスティック本体１１の直径は、その先端部１１ａが後端部１１ｂと比較してやや細径であるものの、全体としてほぼ均一となっているが、これに限定されない。たとえば、先端（最先端）に向けて直径が漸減したり、後端（最後端）に向けて直径が漸減したり、直径の増減を繰り返したりしてもよい。
実施形態では、スティック本体１１の先端（最先端）を丸みを帯びた形状としているが、これに限定されず、角ばった形状としてもよい。
【００３２】
スティック本体１１の後端部１１ｂの外周には、指でつまんだ際に滑り止めとして機能する凹凸等を設けてもよい。同様に、滑り止めとして、スティック本体１１の後端部１１ｂの外周に、ゴムチューブを被せるなどしてもよい。
また、スティック本体１１の後端（最後端）に、指でつまんだ際の抜け止めとして機能する太径部等を設けてもよい。さらに、スティック本体１１の後端部１１ｂに、指を入れる穴等を設けて、グリップ性や操作性を向上させてもよい。
要するに、スティック本体１１の後端部１１ｂの構造については、実施形態には限定されず、指でつまむことが可能である限りにおいて、種々のものが想定されうる。
【００３３】
実施形態では、鍔部１２の形状を円盤形としているが、これに限定されず、四角形、四角形以外の多角形、楕円形等とすることも可能である。
実施形態では、強度や製造の容易性等に鑑みて、鍔部１２とスティック本体１１とを一体に形成しているが、これに限定されず、別体に作成されたものを接着等の適宜手段により固定してもよい。
鍔部１２として、スティック本体１１と別体に作成した場合、割り箸などの既存の細長い物品をスティック本体１１として用い、これに鍔部１２を取り付けることで鼻孔脱毛用スティック１０を完成させることも可能である。
具体的には、鍔部１２をドーナツ形に形成して、そのドーナツ形の穴に既存のスティック本体１１を差し込んで適宜固定することが想定できる。
たとえば、スティック本体１１として、割り箸等の既存の細長い物品を選択し、鍔部１２として金属製の耐久性の高いものを作製し、スティック本体１１は使い捨てとし、脱毛作業の都度取り換えることで、鍔部１２については繰り返し用いることも可能である。
また、鍔部１２とスティック本体１１の先端部１１ａのみを一体に形成し、スティック本体１１の後端部１１ｂとして、割り箸等の既存の細長い物品を用い、その鍔部１２とスティック本体１１の先端部１１ａとの一体品を、既存の細長い物品の先端に接着等の適宜手段により固定することで鼻孔脱毛用スティック１０を完成させることも可能である。
実施形態では、スティック本体１１の軸線と鍔部１２の面とがほぼ垂直となっているが、これに限定されず、垂直の状態から傾いていてもよい。
【符号の説明】
【００３４】
１０  鼻孔脱毛用スティック
１１  スティック本体
１１ａ  先端部
１１ｂ  後端部
１２  鍔部
Ｗ  ワックス
Ｎ  鼻孔
Ｈ  体毛
【図１】
2017000606.tif 000003
【図２】
2017000606.tif 000004
【図３】
2017000606.tif 000005
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
後端部を指でつまんで先端部を鼻孔に挿入可能であり、かつその先端に向けて直径が漸減しており最先端は丸みを帯びた形状に形成されている先端部に脱毛用のワックスを塗布可能なスティック本体と、
前記スティック本体の先端部と後端部との間に形成され、前記スティック本体の先端部を鼻孔に挿入した際に鼻孔の孔縁に当接し、前記スティック本体の先端部へワックスを塗布する際の塗布範囲の指標となり、かつ前記スティック本体の先端部に塗布されたワックスを下方より支持する鍔部と、を備える鼻孔脱毛用スティック。
【請求項２】
前記鍔部は、前記スティック本体の先端から５〜１５ｍｍの位置に形成されている請求項１に記載の鼻孔脱毛用スティック。
【請求項３】
前記鍔部は、円盤形であり、その円盤の直径は１０〜２０ｍｍである請求項１または２に記載の鼻孔脱毛用スティック。